【事件の表示】
　特許第２８０８７５０号「カメラ及びカメラ用シャッタユニット」の特許に対する特許異議の申立てについて、次のとおり決定する。
【結　論】
　特許第２８０８７５０号の請求項１ないし４に係る特許を取り消す。
【理　由】
１、本件発明
　 本件特許第２８０８７５０号の請求項１ないし４に係る発明（平成１年１１月２２日出願、平成１０年７月３１日設定登録）は、特許明細書及び図面の記載からみて、その特許請求の範囲の請求項１ないし４に記載された事項によって特定される以下のとおりのものである。
　
【請求項１】所定の形状のフルサイズ画面と、該フルサイズ画面の上下端の一部を遮光することによって形成されるパノラマ画面とを選択して撮影可能なカメラにおいて、
　上記フルサイズ画面に相当する開口を有するシャッタユニットと、
　該シャッタユニットにおいて撮影画面に平行な方向に可動であるように設置され、上記開口を開放する状態と遮蔽する状態を取り得るように配置されたシャッタ羽根と、上記シャッタユニットにおいて上記シャッタ羽根とは独立して撮影画面に平行な面に沿って可動であるように設置され、上記開口を開放する状態と上記開口の上下端の一部を遮蔽する状態とを取り得るよう配置された遮光板とを備えたことを特徴とするカメラ。
　
【請求項２】上記遮光板を駆動するモータを有することを特徴とする請求項１に記載のカメラ。
　
【請求項３】所定の形状のフルサイズ画面と、該フルサイズ画面の上下端の一部を遮光することによって形成されるパノラマ画面とを選択して撮影可能なカメラに使用されるシャッタユニットにおいて、
　上記フルサイズ画面に相当する開口と、
　上記シャッタユニットにおいて撮影画面に平行な方向に可動であるように設置され、上記開口を開放する状態と遮蔽する状態を取り得るよう配置されたシャッタ羽根と、上記シャッタユニットにおいて上記シャッタ羽根とは独立して撮影画面に平行な面に沿って可動であるように設置され、上記開口を開放する状態と上記開口の上下端の一部を遮蔽する状態とを取り得るよう配置された遮光板とを備えたことを特徴とするカメラ用シャッタユニット。
　
【請求項４】上記遮光板を駆動するモータを有することを特徴とする請求項３に記載のカメラ用シャッタユニット。
　
２、引用刊行物に記載された発明
　当審が通知した取消理由に引用した刊行物１、２及び５にはそれぞれ、以下のような発明が記載されている。
　
　刊行物１（特開昭６１−２９５５３４号公報）
　「疑似パノラマセッテイングまで３５ミリのセッテイングを越えて回転することができる。」（公報第３頁右下欄第１０行〜１２行）。
「第５ｂ図は疑似パノラマフォーマットを提供するようマスキングユニット９１が付勢したときに現れるファインダの視界１０１を示し、」（公報第５頁左下欄第１７行〜２０行）。
　「プリント作業の間に、コード起線１０００を検出することによりネガをファインダ視野１０１のマスキングと一致した上下縁ゾーンに沿ってマスクさせる。（３５ミリでなく）パノラマレンズを用いた露出から得たものに似た、３１／２×７インチの疑似パノラマプリントを提供するよう、ネガ即ち、１６．４×３２．８ミリの狭い、マスクをしていない部分が引伸しされる。」（公報第６頁左下欄第１行〜第８行）。
　なる記載事項と図面、特に第５ｂ図の記載からして、
　所定のプリントサイズと、プリント作業において、該所定のプリントサイズの上下縁ゾーンに沿ってマスクをすることにより得る疑似パノラマ写真プリント。
　なる発明が記載されている。
　
　刊行物２（「写真工業」、１９６６年　２月号、第３５頁〜４１頁、株式会社「写真工業出版社」発行）
　「画面切替え機構を有するフルサイズ、ハーフサイズ兼用のカメラである。」（３５頁上段）。
「付随的なFeatureとしては、フルサイズ、ハーフサイズ兼用ということもユニークなもの」（第３５頁下段〜第３６頁上段）。
　「４　フルサイズ、ハーフサイズ兼用の画面切替え機構を入れる。
　　５　新型メタルフォーカルプレンシャッターコパルスケアSを採用する。」（３６頁下段第３行〜第６行）。
　「本機の構造についてはボディ、シャッターを中心としたユニットシステムであり、ユニットは生産合理化によるボディ、シャッター、ミラーボックスの各ブロックに大別され、」（第３７頁上段）。
　「第６図の画面切替え機構の図面と、特に該機構の図面における開口を開放する状態と開口の左右端の一部を遮蔽する状態との間で撮影画面に平行な面に沿って移動可能なハーフ画枠AとBの記載」（第３９頁）。
　「画面切替え機構については・・・この切替えは一般にアマチュアに好評を受けたもので、特に最近のように・・・目的に応じた撮影が一台のカメラで自由に使い分けられるとなると非常に便利であり、・・・画面切替えレバーをハーフにした場合には実画面がハーフサイズになり、ファインダー視野内にハーフマークが現われる、撮影はファインダーピント面上にあるハーフサイズ指標線によって撮影画面の構成をとる。また巻上げも自動的にハーフの送りに変わりフイルムカウンターも２コマで一目盛り進む。この機構については第６図のとおりである。フルサイズ、ハーフサイズの切替えは撮影途中においても任意に切替えが可能であるが、」（第３９頁第２段〜第４０頁第１段）。
　「シャッタは・・・メタルフォーカルプレーンを使用している。」（第４頁第２段）。
　なる上記記載事項から、カメラがシャッタユニットを備え、該シャッタユニットにはフルサイズ画面に相当する開口が設けられ、該開口を開放する状態と遮蔽する状態を取り得るように配置されたシャッタ羽根が備えられていることは明らかであり、また、画面切替機構は、そのハーフ画枠がシャッタ羽根と独立して可動であり、シャッタユニットの開口を開放する状態と該開口の一部を遮蔽する状態を取り得ることが明らかであるから、結局、以下のような発明が記載されている。
　所定の形状のフルサイズ画面と、該フルサイズ画面の左右端の一部を遮光することによって形成されるハーフサイズ画面とを選択して撮影可能なカメラにおいて、
　フルサイズ画面に相当する開口を有するフォーカルプレーンシャッタユニットと、
　該シャッタユニットに可動であるように設置され、上記開口を開放する状態と遮蔽する状態を取り得るように配置されたシャッタ羽根と、
　上記シャッタ羽根とは独立して可動であり、上記開口を開放する状態と上記開口の左右端の一部を遮蔽する状態とを取り得るようにされ、撮影画面に平行な面に沿って移動可能なハーフ画枠とを備えたカメラ。
　
刊行物５（実願昭５７−６４９８５号（実開昭５８−１６８７１６号）のマイクロフイルム）
　「８a、８ｂ、８ｃ、８ｄ、８eは先幕を構成する羽根であってアーム９a、９ｂによって８aは画面に平行に、他は軸５のまわりに回転可能に取付けられている。１０は画枠、１２はフイルムであって８a〜８eと１０の間にはシャッタ先幕と同様複数の羽根によって構成された図示せぬシャッタ後幕が設けられている。」（明細書第４頁第９行〜１６行）。
　「副遮光幕７a〜７ｃおよび先幕羽根８ｂ〜８eは軸５を中心に回転しまた先幕羽根８aは平行的に移動して画枠１０の外へ退避する。その後、後幕が走行して露光が終了すると図示せぬ機構により、駆動レバー２は反時計方向に回転し、副遮光幕７a〜７ｃおよび先幕羽根８a〜８eは画枠内に復帰する。」（明細書第５頁第６行〜１３行）。
　「上記構造により、シャッタ幕２４と副遮光幕３４は完全に分離されその駆動も独立に行う事ができる。」（明細書第９頁第５行〜７行）。
　なる記載事項と、図面第１図〜第４図の記載からして、
　シャッタ装置において、シャッタユニットにシャッタ先幕羽根及び後幕羽根と共に副遮光幕が配置され、該副遮光幕は、シャッタ先幕羽根及び後幕羽根と独立して駆動し、画枠に設けた開口を開放する状態と遮蔽する状態とを取り得るようにした構成。
　なる発明が記載されている。
　
３、対比
　 本件請求項１に係る発明（以下、「本件発明１」という。）と上記刊行物２に記載された発明とを対比すると、刊行物１に記載された発明の「左右端」と本件発明の「上下端」は、フルサイズ画面の端を意味し、刊行物２に記載された発明の「ハーフサイズ」と本件発明の「パノラマサイズ」は、選択撮影画面であり、刊行物２に記載された発明の「ハーフ画枠」は、遮光板である。また、刊行物２に記載された発明のシャッタはフォーカルプレーンシャッタであるから、シャッタ羽根が撮影画面に平行な方向に可動であることが明らかである。よって、両者は、
　所定の形状のフルサイズ画面と、該フルサイズ画面の端の一部を遮光することによって形成される選択撮影画面とを選択して撮影可能なカメラにおいて、
　フルサイズ画面に相当する開口を有するシャッタユニットと、
　該シャッタユニットにおいて撮影画面に平行な方向に可動であるように設置され、上記開口を開放する状態と遮蔽する状態を取り得るように配置されたシャッタ羽根と、
　上記シャッタ羽根と独立して可動であり、撮影画面に平行な面に沿って可動であるように設置され、上記開口を開放する状態と上記開口の端の一部を遮蔽する状態とを取り得るようになされた遮光板とを備えたカメラ。
　で一致し、
　以下の点において相違している。
　（イ）本件発明１のカメラの選択撮影画面はパノラマサイズ画面であり、該画面での選択撮影が可能であり、該選択撮影がフルサイズ画面の端の上下端の一部を遮光することにより行うのに対し、刊行物２に記載された発明のカメラの選択撮影画面はハーフサイズ画面であり、該画面での選択撮影が可能であり、該選択撮影がフルサイズ画面の端の左右端の一部を遮光することにより行うものである点。
　（ロ）本件発明１においては、遮光板がシャッタユニットに設置され、上記開口を開放する状態と上記開口の端の上下端の一部を遮蔽する状態とを取り得るよう配置されたものであるのに対し、刊行物２に記載された発明においては、遮光板がシャッタユニットに設置されたものであるのか明らかでなく、また、遮光板が開口の端の一部を遮蔽する状態が左右端であり、遮光板による開口の端の遮蔽状態が異なり、該遮光板とシャッタユニットとの関係については格別な記載がなく明らかではない点。
　
４、当審の判断
　上記相違点について検討する。
　（イ）の点については、刊行物１に記載された発明に所定のプリントサイズ（実質的にフルサイズに相当する）から疑似パノラマプリントを得る点が示されており、またパノラマサイズ画面の写真は周知であることを考慮すると、刊行物２に記載された発明の選択撮影画面であるハーフサイズ画面の写真を得るためのハーフサイズ画面での選択撮影に換えて、周知のパノラマサイズ画面の写真を得るためのパノラマサイズ画面での選択撮影の採用は格別なことではなく、また、該パノラマサイズ画面での選択撮影に際しフルサイズ画面の端の上下端の一部を遮光することは、該刊行物１に記載された発明において、疑似パノラマプリントを得るために所定のプリントサイズの上下縁ゾーンにマスクをする点が示されおり、この技術思想から適宜なし得ることである。
　（ロ）の点については、該遮光板による開口の端の一部を遮蔽する状態が上下端であるか左右端であるかの開口の端の遮蔽状態の相違は、開口の端の上下端の一部を遮蔽する遮光板による遮蔽状態が上記（イ）の点で述べたパノラマサイズ画面での選択撮影の容易性からして適宜取り得るものであることを考慮すると格別なことではない。また、遮光板をシャッタユニットに設置することはこの点により予測の域を超える格別の作用効果が期待できない以上、上記刊行物５に記載された発明における、シャッタユニットにシャッタ羽根と共に他の可動部材である副遮光幕を組み込む構成の開示から適宜なし得た程度のことにすぎない。
　
　上述したとおりであり、本件発明１は、上記刊行物１、２及び５に記載された発明に基づいて当業者が容易に発明をすることができたものである。
　
　次に、本件請求項３に係る発明（以下、「本件発明３」という。）について検討すると、本件発明３は、本件発明１のカメラに用いるシャッタユニットに関する発明であり、両発明はカメラであるか、該カメラに用いるシャッタユニットであるかの構成において異なるのみであり、他の構成においては実質的に差異はなく、刊行物２に記載された発明には上述した構成のシャッタユニットの発明も記載されているのであるから、本件発明３は、本件発明１と同様の理由により上記刊行物１、２及び５に記載された発明に基づいて当業者が容易に発明をすることができたものである。
　
　さらに、本件請求項２及び４に係る発明（以下、「本件発明２」及び「本件発明４」という。）について検討すると、本件発明２及び４は、本件発明１及び３においてそれぞれ、「遮光板を駆動するモータを有する」として構成の限定を加えたものであるが、駆動装置としてのモータがきわめて普通のものであることを考慮すると遮光板のモータ駆動は適宜採用し得る単なる設計的事項にすぎず、本件発明２及び４は、本件発明１及び３と同様の理由により上記刊行物１、２及び５に記載された発明に基づいて当業者が容易に発明をすることができたものである。
　
５、むすび
　以上のとおりであるから、本件発明１ないし４、即ち、本件請求項１ないし４に係る発明は、上記刊行物１、２及び５に記載された発明に基づいて当業者が容易に発明をすることができたものであり、本件請求項１ないし４に係る発明の特許は、特許法第２９条第２項の規定に違反してなされたものである。
　よって、特許法等の一部を改正する法律(平成６年法律第１１６号)附則第１４条の規定に基づく、特許法等の一部を改正する法律の施行に伴う経過措置を定める政令(平成７年政令第２０５号)第４条第２項の規定により、結論のとおり決定する。
【異議決定日】
平成１２年６月６日（２０００．６．６）